(57)【要約】【課題】ＬＥＤランプの発光角度を調整して変えることができる角度が調整可能なＬＥＤランプを提供する。【解決手段】角度が調整可能なＬＥＤランプ１００は、ランプ体１、口金２及び角度調整機構３を備える。ランプ体１は、回路基板１１１と、回路基板１１１上に配設されて発光面１１５を形成する少なくとも１つのＬＥＤ１１２と、を有するＬＥＤモジュール１１を含む。ランプ体１は、ＬＥＤモジュール１１と電気的に接続される。角度調整機構３は、第１のラチェット部材３１及び第２のラチェット部材３２を有する。第１のラチェット部材３１は、ランプ体１に固設される。第２のラチェット部材３２は、口金２に固設される。第１のラチェット部材３１及び第２のラチェット部材３２は、発光面１１５の回転軸３３０に対して平行方向で回転自在であり、互いに噛合して所定の回転角度で回転され、所望の発光方向へ発光面を向ける。【選択図】図１
0003185445.tif 000002
【実用新案登録請求の範囲】
【請求項１】
ランプ体、口金及び角度調整機構を備えた角度が調整可能なＬＥＤランプであって、
前記ランプ体は、回路基板と、前記回路基板上に配設されて発光面を形成する少なくとも１つのＬＥＤと、を有するＬＥＤモジュールを含み、
前記ランプ体は、前記ＬＥＤモジュールと電気的に接続され、
前記角度調整機構は、第１のラチェット部材及び第２のラチェット部材を有し、前記第１のラチェット部材は、前記ランプ体に固設され、前記第２のラチェット部材は、前記口金に固設され、前記第１のラチェット部材及び前記第２のラチェット部材は、前記発光面の回転軸に対して平行方向で回転自在であり、互いに噛合して所定の回転角度で回転され、所望の発光方向へ前記発光面を向けることを特徴とする角度が調整可能なＬＥＤランプ。
【請求項２】
前記第１のラチェット部材及び前記第２のラチェット部材には、それぞれ複数の歯部と、前記歯部間の複数の凹部と、が設けられ、
前記歯部及び前記凹部は、噛合接触面上の複数の回転角度上にそれぞれ形成され、前記第１のラチェット部材と前記第２のラチェット部材とが噛合され、複数の回転角度のうちの所定角度で位置決めされることを特徴とする請求項１に記載の角度が調整可能なＬＥＤランプ。
【請求項３】
前記歯部は、前記回転軸に対して平行方向で突出されることを特徴とする請求項２に記載の角度が調整可能なＬＥＤランプ。
【請求項４】
前記歯部は、前記回転軸に対して垂直方向で突出されることを特徴とする請求項２に記載の角度が調整可能なＬＥＤランプ。
【請求項５】
前記噛合接触面は円形状であることを特徴とする請求項２に記載の角度が調整可能なＬＥＤランプ。
【請求項６】
前記角度調整機構は、前記第１のラチェット部材と前記第２のラチェット部材との間に接続された抜け防止部材を有することを特徴とする請求項１に記載の角度が調整可能なＬＥＤランプ。
【請求項７】
前記口金の外側周縁には、口金ねじ部が設けられていることを特徴とする請求項１に記載の角度が調整可能なＬＥＤランプ。
【請求項８】
前記回路基板上の前記発光面と表裏の関係に配設された放熱部材をさらに備えることを特徴とする請求項１に記載の角度が調整可能なＬＥＤランプ。
【請求項９】
前記放熱部材と前記回路基板との間には、錫層又は黒鉛層が設けられていることを特徴とする請求項８に記載の角度が調整可能なＬＥＤランプ。
【請求項１０】
前記放熱部材は金属放熱層であることを特徴とする請求項８に記載の角度が調整可能なＬＥＤランプ。
【考案の詳細な説明】
【技術分野】
【０００１】
本考案は、ＬＥＤランプに関し、特に、角度が調整可能なＬＥＤランプに関する。
【背景技術】
【０００２】
従来のランプ（例えば、デスクライト、埋込灯など）は、電球の口金を電球用ソケットへ螺着し、外部から電気を供給することにより発光させることができる。従来の電球（例えば、タングステンランプ及び電球形蛍光灯）は、３６０度全方向へ光を放射するため、電球を電球用ソケットに螺着する際、発光方向を考慮する必要はなかった。
【０００３】
発光ダイオード（Ｌｉｇｈｔ  Ｅｍｉｔｔｉｎｇ  Ｄｉｏｄｅ：ＬＥＤ）は、電気エネルギを光エネルギへ変換させて発光する半導体電子部品である。発光ダイオードを利用して発光するランプは高発光効率、長寿命、高耐久性、高速反応などの長所を有するため、従来のランプに置き換わりつつある。
【考案の概要】
【考案が解決しようとする課題】
【０００４】
そのため、従来の発光ダイオードは、回路基板上に発光ダイオードが設けられ、使用状況に応じて必要な個数の発光ダイオードが設置されている。これら複数の発光ダイオードは、回路基板上に配置され、回路基板から外方へ向かって光を放射し、１つの平面発光を形成する。そのため、発光ダイオードを利用したランプを電球用ソケットへ螺着する際に発光面が間違った方向へ向けられる場合、ランプの光を所望の場所へ照射させることができなくなる虞があり、発光ダイオードのランプの実用性及び使用利便性が低いという欠点を有するため、改善が求められていた。
【０００５】
そのため、本考案の目的は、ＬＥＤランプの発光角度を調整して変えることができる角度が調整可能なＬＥＤランプを提供することにある。
【課題を解決するための手段】
【０００６】
上記課題を解決するために、本考案の第１の形態によれば、ランプ体、口金及び角度調整機構を備えた角度が調整可能なＬＥＤランプであって、前記ランプ体は、回路基板と、前記回路基板上に配設されて発光面を形成する少なくとも１つのＬＥＤと、を有するＬＥＤモジュールを含み、前記ランプ体は、前記ＬＥＤモジュールと電気的に接続され、前記角度調整機構は、第１のラチェット部材及び第２のラチェット部材を有し、前記第１のラチェット部材は、前記ランプ体に固設され、前記第２のラチェット部材は、前記口金に固設され、前記第１のラチェット部材及び前記第２のラチェット部材は、前記発光面の回転軸に対して平行方向で回転自在であり、互いに噛合して所定の回転角度で回転され、所望の発光方向へ前記発光面を向けることを特徴とする角度が調整可能なＬＥＤランプが提供される。
【０００７】
前記第１のラチェット部材及び前記第２のラチェット部材には、それぞれ複数の歯部と、前記歯部間の複数の凹部と、が設けられ、前記歯部及び前記凹部は、噛合接触面上の複数の回転角度上にそれぞれ形成され、前記第１のラチェット部材と前記第２のラチェット部材とが噛合され、複数の回転角度のうちの所定角度で位置決めされることが好ましい。
【０００８】
前記歯部は、前記回転軸に対して平行方向で突出されることが好ましい。
【０００９】
前記歯部は、前記回転軸に対して垂直方向で突出されることが好ましい。
【００１０】
前記噛合接触面は円形状であることが好ましい。
【００１１】
前記角度調整機構は、前記第１のラチェット部材と前記第２のラチェット部材との間に接続された抜け防止部材を有することが好ましい。
【００１２】
前記口金の外側周縁には、口金ねじ部が設けられていることが好ましい。
【００１３】
前記回路基板上の前記発光面と表裏の関係に配設された放熱部材をさらに備えることが好ましい。
【００１４】
前記放熱部材と前記回路基板との間には、錫層又は黒鉛層が設けられていることが好ましい。
【００１５】
前記放熱部材は金属放熱層であることが好ましい。
【考案の効果】
【００１６】
本考案の角度が調整可能なＬＥＤランプは、ランプ体を回転させて発光面の方向を調整し、所望の発光方向へ照射させることにより、従来技術の問題点を改善し、高発光効率、長寿命、高耐久性及び高速反応の特性を得て、ＬＥＤランプの実用性及び使用利便性を大幅に高めることができる。
【図面の簡単な説明】
【００１７】
【図１】図１は、本考案の第１実施形態に係る角度が調整可能なＬＥＤランプを示す分解斜視図である。
【図２】図２は、本考案の第１実施形態に係る角度が調整可能なＬＥＤランプの角度調整機構を示す断面図である。
【図３】図３は、本考案の第１実施形態に係る角度が調整可能なＬＥＤランプが角度調整を行うときの状態を示す模式図である。
【図４】図４は、本考案の第１実施形態に係る角度が調整可能なＬＥＤランプが角度調整を行うときの状態を示す模式図である。
【図５】図５は、本考案の第２実施形態に係る角度が調整可能なＬＥＤランプを示す分解斜視図である。
【考案を実施するための形態】
【００１８】
以下、本考案の実施形態について図に基づいて説明する。なお、これによって本考案が限定されるものではない。
【００１９】
（第１実施形態）
図１〜図４を参照する。図１〜図４に示すように、本考案の第１実施形態に係る角度が調整可能なＬＥＤランプ１００は、少なくともランプ体１、口金２及び角度調整機構３から構成される。
【００２０】
ランプ体１は、本体１０、ＬＥＤモジュール１１及びランプカバー１２を含む。ＬＥＤモジュール１１は、本体１０に固定され、口金２と電気的に接続される。ＬＥＤモジュール１１は、回路基板１１１、ＬＥＤ１１２、放熱部材１１３及び導熱層１１４を含む。第１実施形態の回路基板１１１の側面には、複数のＬＥＤ１１２が配設される。これら複数のＬＥＤ１１２は、回路基板１１１から外方へ光を放射し、発光面１１５を形成する。放熱部材１１３は、回路基板１１１上の発光面１１５と表裏の関係に配設され、回路基板１１１と放熱部材１１３との間には導熱層１１４が配設される。第１実施形態の放熱部材１１３は、金属放熱層である。第１実施形態の放熱部材はアルミニウム製の放熱シートである。勿論、本考案はこれだけに限定されるわけではなく、放熱部材の表面に放熱シートを形成して放熱効果を高めてもよい。導熱層１１４は錫層である。これにより回路基板１１１と放熱部材１１３とを溶接して放熱効果を向上させる以外に、回路基板１１１と放熱部材１１３との結合をさらに安定させることができる。勿論、他の実施形態では、導熱層１１４が黒鉛層でもよく、ねじ及びナット（図示せず）により回路基板１１１と放熱部材１１３とを螺合させてもよい。ランプカバー１２は、発光面１１５上を覆うために用いる。発光面１１５からの光がランプカバー１２を透過すると拡散し、照明角度を広げたり、ＬＥＤ１１２が放射する光を柔らかくしたりする。
【００２１】
口金２の外側周縁に設けられた口金ねじ部２１を、電球用ソケット４に螺着させて外部電源に接続すると、ＬＥＤモジュール１１に電気が供給され、ＬＥＤ１１２が発光する。勿論、本考案はこれだけに限定されるわけではなく、口金２の導電ピンをソケットに挿入して通電し、口金２をソケットに固定してもよい。
【００２２】
角度調整機構３は、第１のラチェット部材３１、第２のラチェット部材３２及び抜け防止部材３３を含む。第１のラチェット部材３１は、ランプ体１の一端に固設され、第２のラチェット部材３２は、口金２の一端に固設される。第１のラチェット部材３１の第１の噛合接触面３１０上には、複数の第１の歯部３１１と、第１の歯部３１１間の複数の第１の凹部３１２と、が設けられる。同様に、第２のラチェット部材３２の第２の噛合接触面３２０上には、複数の第２の歯部３２１と、複数の第２の歯部３２１間の第２の凹部３２２と、が設けられる。第１のラチェット部材３１には、第１の軸孔３１３が形成され、第２のラチェット部材３２には、第２の軸孔３２３が形成される。第１の軸孔３１３と第２の軸孔３２３とは連通する。
【００２３】
抜け防止部材３３は、回転軸部材３３１と、２つのストッパ部材３３２，３３３と、を有する。回転軸部材３３１の回転軸３３０は、発光面１１５に対して平行である。回転軸部材３３１の軸長さは、第１の軸孔３１３と第２の軸孔３２３との軸長さの総和より僅かに大きい。回転軸部材３３１は、第１の軸孔３１３及び第２の軸孔３２３に挿設される。ストッパ部材３３２，３３３は、回転軸部材３３１の両端に固着されているため、第１の軸孔３１３及び第２の軸孔３２３から回転軸部材３３１が外れることはない。この構成により、第１のラチェット部材３１と第２のラチェット部材３２との相対位置が、回転軸３３０の方向で変位した場合でも完全に分離することがなく、第１のラチェット部材３１及び第２のラチェット部材３２は、回転軸部材３３１を介して回転軸３３０により相対的に回転自在である。
【００２４】
複数の第１の歯部３１１及び第１の凹部３１２ならびに複数の第２の歯部３２１及び第２の凹部３２２は、噛合接触面３１０，３２０上の複数の回転角度で形成され、第１のラチェット部材３１と第２のラチェット部材３２とを噛合させて複数の回転角度のうちの所望の回転角度で位置決めさせることができる。第１実施形態の複数の歯部３１１，３２１は、回転軸３３０に対して平行方向で突出される（図１及び図２参照）。第１の噛合接触面３１０及び第２の噛合接触面３２０は、円形状を呈する。第１のラチェット部材３１及び第２のラチェット部材３２は、それぞれ２４個の歯部３１１，３２１を有する。これら複数の歯部３１１，３２１は、回転軸３３０を中心として円心角が１５度の２４個の回転角度上に均等に形成され、各第１の歯部３１１は、各第２の凹部３２２に対応して噛合され、各第１の凹部３１２は、各第２の歯部３２１に対応して噛合される。さらに第１のラチェット部材３１が第２のラチェット部材３２に対して回転した後、回転軸３３０の周りで１５度回転した後でも依然として噛合され続け、第１のラチェット部材３１と第２のラチェット部材３２とが２４個の対応した回転角度を有する。
【００２５】
上述した構成により、第１のラチェット部材３１と第２のラチェット部材３２とが噛合されると、ランプ体１の回転に伴い口金２が電球用ソケット４に螺入される。この際、口金２が電球用ソケット４に固定されるため、ランプ体１が回転軸３３０の方向で外方へ引き出されると、第１のラチェット部材３１と第２のラチェット部材３２とを分離させると、ランプ体１を所定の回転角度で回転させ、発光面１１５を所望の発光方向へ向けることができる。続いて、ランプ体１を回転軸３３０に対して平行な方向へ押し入れると、第１のラチェット部材３１と第２のラチェット部材３２とが噛合され、発光面１１５の発光方向を調整して正確な方向へ向けることができる。
【００２６】
（第２実施形態）
図５を参照する。図５は、本考案の第２実施形態に係る角度が調整可能なＬＥＤランプを示す分解斜視図である。図５に示すように、本考案の第２実施形態に係る角度が調整可能なＬＥＤランプ１００ａは、第１実施形態の角度が調整可能なＬＥＤランプ１００と異なり、角度調整機構３ａの第１のラチェット部材３１ａの第１の歯部３１１ａと第２のラチェット部材３２ａの第２の歯部３２１ａとが回転軸３３０の方向に対して垂直方向で突出され（即ち、径方向で突出され）、第２のラチェット部材３２ａの第２の噛合接触面３２０ａが第１のラチェット部材３１ａの第１の噛合接触面３１０ａに外嵌される。勿論、本考案はこれだけに限定されるわけではなく、第１のラチェット部材３１ａと第２のラチェット部材３２ａとが噛合される限り、第１のラチェット部材３１ａの第１の噛合接触面３１０ａが第２のラチェット部材３２ａの第２の噛合接触面３２０ａに外嵌されてもよい。
【００２７】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２８】
１  ランプ体
２  口金
３  角度調整機構
３ａ  角度調整機構
４  電球用ソケット
１０  本体
１１  ＬＥＤモジュール
１２  ランプカバー
２１  口金ねじ部
３１  第１のラチェット部材
３１ａ  第１のラチェット部材
３２  第２のラチェット部材
３２ａ  第２のラチェット部材
３３  抜け防止部材
１００  角度が調整可能なＬＥＤランプ
１００ａ  角度が調整可能なＬＥＤランプ
１１１  回路基板
１１２  ＬＥＤ
１１３  放熱部材
１１４  導熱層
１１５  発光面
３１０  第１の噛合接触面
３１０ａ  第１の噛合接触面
３１１  第１の歯部
３１１ａ  第１の歯部
３１２  第１の凹部
３１３  第１の軸孔
３２０  第２の噛合接触面
３２０ａ  第２の噛合接触面
３２１  第２の歯部
３２１ａ  第２の歯部
３２２  第２の凹部
３２３  第２の軸孔
３３０  回転軸
３３１  回転軸部材
３３２  ストッパ部材
３３３  ストッパ部材
【図１】
0003185445.tif 000003
【図２】
0003185445.tif 000004
【図３】
0003185445.tif 000005
【図４】
0003185445.tif 000006
【図５】
0003185445.tif 000007